(57)【要約】      （修正有）【課題】病棟外に発熱外来等の目的で使用される診療室を迅速かつ簡易に設置可能とする排気装置付きトレーラーハウスを提供する。【解決手段】排気装置付きトレーラーハウスは、単一の空間として形成された診療室Ｒを有すると共に、診療室Ｒの互いに対向する一対の側壁面部１１ａ、１１ｂの一方１１ａに設けられた吸気口１２ａおよび他方１１ｂに設けられた排気口１３ａを有するハウス本体１１と、排気口１３ａに対し、診療室Ｒ内の空気を排気口１３ａを介して排出可能に接続された排気装置５と、を備え、診療室Ｒ内の空気を排気装置５により排気口１３ａを介して診療室Ｒ外へ排出することにより診療室Ｒ内に陰圧を発生させる。【選択図】図３
0003229933.tif 000002
【実用新案登録請求の範囲】
【請求項１】
単一の空間として形成された診療室を有すると共に、前記診療室の互いに対向する一対の側壁面部の一方に設けられた吸気口および他方に設けられた排気口を有するハウス本体と、
前記排気口に対し、前記診療室内の空気を当該排気口を介して排出可能に接続された排気装置と、
を備え、
前記診療室内の空気を前記排気装置により前記排気口を介して前記診療室外へ排出することにより前記診療室内に陰圧を発生させることを特徴とする排気装置付きトレーラーハウス。
【請求項２】
前記排気装置は、
前記診療室内に配置固定され、
ファン部と、前記ファン部の上流側に配置されたフィルター部と、前記ファン部を前記排気口につなぐダクト部と、を備えることを特徴とする、
請求項１に記載の排気装置付きトレーラーハウス。
【請求項３】
前記ファン部は、シロッコファンにより構成されることを特徴とする、
請求項２に記載の排気装置付きトレーラーハウス。
【請求項４】
前記フィルター部は、
ＨＥＰＡフィルターと、
前記ＨＥＰＡフィルターの上流側に配置され、前記ＨＥＰＡフィルターよりも捕捉対象の粒子径が大きい予備フィルターと、により構成されることを特徴とする、
請求項２に記載の排気装置付きトレーラーハウス。
【請求項５】
前記排気装置は、フィルター交換報知部をさらに備えることを特徴とする、
請求項２に記載の排気装置付きトレーラーハウス。
【請求項６】
前記フィルター交換報知部は、前記ＨＥＰＡフィルターの上流側の気圧と前記ＨＥＰＡフィルターの下流側の気圧との差圧が所定以上の値に至った場合に作動する表示部を有することを特徴とする、
請求項５に記載の排気装置付きトレーラーハウス。
【請求項７】
前記排気装置は、
前記他方の側壁面部とこれに隣接する前記ハウス本体の側壁面部とにより画成される前記診療室の隅部に設けられると共に、
前記ファン部、前記フィルター部および前記ダクト部を前記診療室の内部に対して遮蔽する仕切パネル部をさらに備え、
前記仕切パネル部は、前記フィルター部に対する前記診療室の内部からの操作を可能とする開閉部を有し、
前記吸気口を有する前記一方の側壁面部に、前記診療室の室内環境調整用の空調装置をさらに備えることを特徴とする、
請求項２に記載の排気装置付きトレーラーハウス。
【請求項８】
前記排気装置に対向する側壁面部に、前記診療室への出入用のドアをさらに備えることを特徴とする、
請求項１に記載の排気装置付きトレーラーハウス。
【考案の詳細な説明】
【技術分野】
【０００１】
本考案は、屋外の適宜場所に感染症対策等に利用可能な診療室を開設できるように構成された排気装置付きトレーラーハウスに関する。
【背景技術】
【０００２】
新型コロナウィルス感染症の感染拡大等を背景に、専用の発熱外来の設置に対する要望が高まっている。
【先行技術文献】
【特許文献】
【０００３】
【特許文献１】特開２０１１−０４１７６５号公報
【考案の概要】
【考案が解決しようとする課題】
【０００４】
しかしながら、発熱外来専用の診療室を予め備えた病院は依然少なく、既存の病院に発熱外来の診療室を新たに設置した場合には、病院施設の再構成、再構築が必要となり、設置に時間と費用とを要することとなる。
即ち、発熱外来の診療室を病棟内に設けるためには、当該診療室内での汚染の可能性のある空気が病棟内へ流出する事態を確実に防止する設備等が必要であり、そのような設備等を病棟内に新たに設置し、又はそのような感染対策を新たに施すことが困難、又は煩雑な場合も存在する。
【０００５】
このような実情に鑑み、本考案は、病院の病棟等の、既存の施設、建物の外部に発熱外来等の目的で使用される診療室を迅速かつ簡易に設置可能とすることを目的とする。
【課題を解決するための手段】
【０００６】
本考案の一形態では、単一の空間として形成された診療室を有すると共に、診療室の互いに対向する一対の側壁面部の一方に設けられた吸気口および他方に設けられた排気口を有するハウス本体と、排気口に対し、診療室内の空気を当該排気口を介して排出可能に接続された排気装置とを備え、前記診療室内の空気を前記排気装置により前記排気口を介して前記診療室外へ排出することにより前記診療室内に陰圧を発生させることを特徴とする排気装置付きトレーラーハウスを提供する。
【０００７】
他の形態では、排気装置が診療室内に配置固定され、ファン部と、ファン部の上流側に配置されたフィルター部と、ファン部を排気口につなぐダクト部とを備えることを特徴とする。
【０００８】
更に別の形態では、ファン部がシロッコファンにより構成されることを特徴とする。
【０００９】
更に別の形態では、フィルター部が、ＨＥＰＡフィルターと、ＨＥＰＡフィルターの上流側に配置され、ＨＥＰＡフィルターよりも捕捉対象の粒子径が大きい予備フィルターとにより構成されることを特徴とする。
【００１０】
更に別の形態では、排気装置はフィルター交換報知部をさらに備えることを特徴とする。
【００１１】
更に別の形態では、フィルター交換報知部が、ＨＥＰＡフィルターの上流側の気圧とＨＥＰＡフィルターの下流側の気圧との差圧が所定以上の値に至った場合に作動する表示部を有することを特徴とする。
【００１２】
更に別の形態では、排気装置が、他方の側壁面部とこれに隣接するハウス本体の側壁面部とにより画成される診療室の隅部に設けられると共に、ファン部、フィルター部およびダクト部を診療室の内部に対して遮蔽する仕切パネル部をさらに備え、仕切パネル部がフィルター部に対する診療室の内部からの操作を可能とする開閉部を有し、吸気口を有する一方の側壁面部に、診療室の室内環境調整用の空調装置をさらに備えることを特徴とする。
【００１３】
更に別の形態では、排気装置に対向する側壁面部に、診療室への出入用のドアをさらに備えることを特徴とする。
【考案の効果】
【００１４】
本考案によれば、適宜の自走車により排気装置付きトレーラーハウスを牽引して所望の場所へ移動させ、例えば、病院の駐車場棟の敷地内に設置させた状態で、排気装置を作動させて、診療室内の空気を診療室外へ排出することにより診療室内に気圧差による陰圧を形成させ、外部の空気を適宜導入して良好な換気を行いつつ診療室内において診療を行うことができる。
従って、特に、空気感染による感染症検査者、又は患者に医療従事者が対応する場合、診療室内の空気の外部流出を防止しつつ、感染症の診療、検査を行うことが可能となり、病院の既存の病棟外部に、感染症専門の診療室を迅速かつ簡易に設置することが可能となる。
その結果、特に、空気を媒介とする感染症対策においては、病院の病棟等の、既存の建物の外部に当該診療室を感染症対策専門の診療室として迅速、簡易に使用することが可能となるため、既存の病棟内に様々な感染症対策を新たに講ずる必要がなくなり、感染症対策に要する施設の改変、諸装置の設置等の時間及び費用を大幅に節減することが可能となり、病院側による各種感染症に対して迅速な対応が可能となる。
【００１５】
また、本考案に係る排気装置付きトレーラーハウスのハウス部により診療室が形成された場合には、診療室の互いに対向する一対の側壁面部の一方に設けられた吸気口および他方に設けられた排気口を有するハウス本体と、排気口に対し、診療室内の空気を当該排気口を介して排出可能に接続された排気装置とを備え、診療室内の空気を、排気装置により排気口を介して診療室外へ排出することにより診療室内に陰圧を発生させるように構成されていることから、診療室内において陰圧が形成された場合には、気圧差により診療室外部から吸気口を介して外気が診療室内へ導入され、その結果、互いに対向する一対の側壁面部の間において、吸気口から排気口に至る空間に所定の風量の空気の直線的かつダイレクトな流れを形成することができ、診療室内における被診療者、患者からの感染が発生しないレベルにおける換気効率による換気を、診療室内において有効に行うことが可能となる。
【００１６】
従って、診療室内において、空気の流れの上流側に医療従事者が位置すると共に、下流側に患者が位置した場合には、患者の呼吸、クシャミ、咳等による、医療従事者方向へのウィルスによる空中の流動を規制することが可能となり、診療室内における感染の発生の事態を有効に防止することが可能となる。また、本考案においては、診療室が全体として単一の空間として形成されており、遮蔽物が介在しないことから、上記の空気の流れが遮断されることがなく、換気効率のよい診療室を形成することができる。
【００１７】
他の形態によれば、ファン部、フィルター部およびダクト部により、診療室内の空気を円滑に排出して、診療室内に換気に必要な所定の大きさの陰圧を形成できると共に、排出前に空気の清浄化を達成することが可能となる。
【００１８】
更に別の形態によれば、ファン部はシロッコファンにより構成されていることから、診療室内の空気をダクトを介してハウス部外に排出することが可能となり、プロペラファンの場合とは異なり、診療室内の空気をダクトを介して他に漏れることなく確実に外部へ排出することが可能となる。
また、ダクトと接続されるシロッコファンを用いることにより、ダクト部の取り回し配置に基づきファン部の設置部位の自由度を確保することが可能となるため、ハウス部全体の構成の自由度を得ることができる。
【００１９】
更に別の形態によれば、捕捉対象の粒子径が比較的に大きい補助フィルターにより、埃等を除去して、埃等に起因するＨＥＰＡフィルターの目詰まりを抑制すると共に、ＨＥＰＡフィルターにより、診療室内の空気に含まれるウィルスを外部への排出前に除去することが可能となる。
【００２０】
更に別の形態によれば、フィルター交換報知部により、フィルター部が交換時期にあるかまたはフィルター部の交換時期が近いことの使用者による認識を促すことが可能となる。その結果、診療室内の空気を確実に清浄化して外部に排出することが可能となる。
【００２１】
更に別の形態によれば、ＨＥＰＡフィルターの上流側の気圧とＨＥＰＡフィルターの下流側の気圧との差圧に基づき、フィルター部の交換時期を適切に判定すると共に、表示部により、フィルター部が交換時期にあることの使用者による認識をより確実に促すことが可能となる。
従って、操作者、管理者は、表示部を視認することにより、フィルター交換の要否を目視で確認することが可能となり、良好な操作性、点検性を確保することが可能となる。
【００２２】
更に別の形態によれば、排気装置を診療室の隅部に設けることで、診療室内での診療に使用される空間容積を確保すると共に、ファン部、フィルター部およびダクト部を遮蔽する仕切パネル部に、フィルター部に対する操作用の開閉部を設けることで、フィルター部を適宜に交換可能とし、排気装置の作動効率を維持すると共に、空気の清浄性を確保することができる。
【００２３】
さらに、ハウス本体の側壁面部のうち、吸気口を有する側壁面部に、室内環境調整用の空調装置を設けることで、排気装置の作動に伴って診療室内に形成される空気の流れを助長すると共に、診療室内の空調による快適性を確保することが可能となる。
【００２４】
更に別の形態によれば、ハウス本体の側壁面部のうち、排気装置に対向する側壁面部に出入用のドアを設けることで、診療室内に形成される空気の流れに、ドアの開閉に伴う外気の流入による換気流の乱れが生じる事態を抑制することが可能となる。
【図面の簡単な説明】
【００２５】
【図１】図１は、本考案の一実施形態に係る排気装置付きトレーラーハウスの外観を示す側面図である。
【図２】図２は、同上実施形態に係る排気装置付きトレーラーハウスの外観を、ハウス本体外に設置される階段部を取り外しかつ出入用のドアを開いた状態で示す側面図である。
【図３】図３は、同上実施形態に係る排気装置付きトレーラーハウスの、ハウス本体内の構成を平面的に示す概略図である。
【図４】図４は、同上実施形態に係る排気装置付きトレーラーハウスに備わる排気装置の構成を、側方視により示す概略図である。
【図５】図５は、同上実施形態に係る排気装置付きトレーラーハウスに備わる制御装置の構成を、平面視により示す概略図である。
【図６】図６は、同上実施形態に係る排気装置付きトレーラーハウスに備わるフィルター交換報知部の構成を示す回路図である。
【図７】図７は、同上実施形態に係る排気装置付きトレーラーハウスの実装風量試験の結果を示す表を記載した説明図である。
【考案を実施するための形態】
【００２６】
以下に図面を参照して、本考案の実施の形態について説明する。
図１は、本考案の一実施形態に係る排気装置付きトレーラーハウス１の外観を示す側面図である。図２は、本実施形態に係る排気装置付きトレーラーハウス１の外観を、ハウス本体１１外に設置される階段部３１を取り外し、かつ出入用のドア１４（図２における右側のドア）を開いた状態で示す側面図である。
【００２７】
排気装置付きトレーラーハウス１は、ハウス本体１１と、台車部２１と、階段部３１とを備えている。
【００２８】
ハウス本体１１は、全体直方体箱状に形成され、内部に診療室Ｒとして利用可能な空間を有する。診療室Ｒを水平方向に包囲するハウス本体１１の前後左右の側壁面部１１ａ〜１１ｄのうち、前後の側壁面部１１ａ、１１ｂには、後述する吸気口１２ａおよび排気口１３ａを被覆する吸気口カバー１２、排気口カバー１３が取り付けられ、左右方向における側壁面部のうち一方の側壁面部１１ｃには、診療室Ｒへの出入りに用いられるドア１４が設けられる。
【００２９】
さらに、本実施形態では、前方の側壁面部１１ａに隣接して、後に述べる空調装置１５１の室外機１５が設けられ、この室外機１５は、次に述べる牽引部２１２上方に配置されている。
【００３０】
本実施の形態においてはドア１４は引き戸形式のドアにより構成されている。台車部２１は、ハウス本体１１を地面ないし道路上で支持し、適宜の場所における排気装置付きトレーラーハウス１の固定設置を可能とする。台車部２１は、本体部２１１と、本体部２１１の前方に設けられた牽引部２１２とを備えている。
【００３１】
本体部２１１は、本実施形態にあっては両側２本ずつ、合計４本のタイヤ１２１と、４本の支持脚１２２とを備え、支持脚１２２を地面に向けて延ばし、接地させることで、ハウス本体１１および台車部２１を自立させ、排気装置付きトレーラーハウス１を適宜の場所に固定することができる。また、移動時には牽引部２１２に自走する牽引車を接続固定し、牽引車により牽引されることで、排気装置付きトレーラーハウス１の走行を実現し、目的に応じた場所に運搬することが可能である。
【００３２】
本実施の形態に係る排気装置付きトレーラーハウス１にあっては、「車検付きの排気装置付きトレーラーハウス」として構成されており、本実施の形態に係る排気装置付きトレーラーハウス１は「道路運送車両法」に基づき登録されている。その結果、本実施の形態に係る排気装置付きトレーラーハウス１は、自走可能な牽引車により牽引されることにより、適法に公道上を、時間に制約されることなく移動することができ、かつ、所望の、例えば、病院の駐車場、庭等の空き地に停車して診療所として使用されることができる。
【００３３】
また、本実施の形態に係る排気装置付きトレーラーハウス１にあっては、自走可能な牽引車により牽引される車両であることから、建築基準法２条１項に規定する「土地への定着性」はなく、法的に「建築物」としては取り扱われない。従って、車検付きではないトレーラーハウスの場合には、使用には行政機関に対する許可申請が必要となり、申請後長期間にわたって許可を待たねばならない、という不具合があるが、本実施の形態に係る排気装置付きトレーラーハウス１の場合にはそのような不具合は存在せず、適宜、迅速かつ容易に移動して所定場所に設置し、診療室としての使用が可能となる。
【００３４】
階段部３１は、診療室Ｒに出入りする使用者（例えば、医療従事者Ｍまたは被検者等Ｐ）の昇降を補助するため、ハウス本体１１外に、ハウス本体１１の側方の側壁面部１１ｃに設けられたドア１４に隣接して配置される。階段部３１は、複数の階段３１１と、ドア１４を介して診療室Ｒに通じる踊り場３１２とを備えている。
図３は、排気装置付きトレーラーハウス１の、ハウス本体１１内の構成、具体的には、診療室Ｒのレイアウトを示す平面的概略図である。
本実施形態において、「診療室Ｒ」とは、医師が患者に対して治療ないし診察を施す、いわゆる診療室のほか、患者が治療前に待機する待機室および被検者等に対する検査（例えば、ＰＣＲ検査）を行う検査室等、医療行為と関連して飛沫の抑制が求められる空間全般を含む広い概念をいう。
【００３５】
診療室Ｒは、ハウス本体１１の内部に単一の空間として形成され、側壁面部間に構造的な仕切部材を有していない。また、換気を行うための開口部として、互いに前後方向において対向する一対の側壁面部１１ａ、１１ｂの一方に設けられた吸気口１２ａと、他方に設けられた排気口１３ａとを有している。
本実施形態において、吸気口１２ａは、診療室Ｒを画成する四方の側壁面部１１ａ〜１１ｄのうち、前方の側壁面部１１ａに設けられ、排気口１３ａは、この前方の側壁面部１１ａに対向する後方の側壁面部１１ｂに設けられる。吸気口１２ａは、側壁面部１１ａにおける水平方向の左右各側上端部２ヵ所、具体的には、右寄りの位置と左寄りの位置であって上端部付近において、それぞれに１か所ずつ設けられている。
また、排気口１３ａは、一方の吸気口１２ａとの間において、診療室Ｒを前後方向における略同一直線上に配置されている。上述したように、吸気口１２ａは、吸気口カバー１２により包囲され、排気口１３ａは、排気口カバー１３により包囲されており、これにより、雨水等の進入が抑制される。
【００３６】
吸気口１２ａの間には、側壁面部１１ａに隣接して診療室Ｒの室内環境調整用の空調装置１５１が設けられている。空調値装置１５１の吹出方向は、吸気口１２ａから排気口１３ａへ向かう方向に対して設けられている。
【００３７】
排気装置付きトレーラーハウス１は、ハウス本体１１内部に排気装置５を備えている。
本実施形態において、排気装置５は、ハウス本体１１内の偶部に配置されており、ハウス本体１１を構成する、側壁面部１１ｄ及び後方の側壁面部１１ｂにより画成される偶部に配置され、診療室Ｒ内の空気を、同様にこの偶部に配置されている排気口１３ａを介して排出できるように構成されている。
【００３８】
本実施形態では、排気装置５が作動した場合には、診療室Ｒ内の空気を排気口１３ａを介して診療室Ｒ外へ排出される。
この際、排気装置５が作動することにより、診療室Ｒ内には、外気圧よりも低い圧力の陰圧が形成されることから、ハウス本体１１外の空気は、吸気口１２ａを介して診療室Ｒ内に導入され、ドア１４の開閉に伴う空気の流出が抑制される。
また、一方で、吸気口１２ａからは外気が診療室Ｒ内に導入され、前方の側壁面部１１ａから後方の側壁面部１１ｂ及び側壁面部１１ｄにより構成される偶部に配置された排気装置５へ向かう空気の流れが形成される。図３は、診療室Ｒの全体に亘って形成される流れの方向を矢印Ａにより示す。
従って、本実施形態では、前方の側壁面部１１ａのうち左寄りの位置に吸気口１２ａが備わることで、前方左隅の角部と後方右隅の角部とをつなぐ対角線に沿った斜め方向の空気の流れＡが形成されることとなる。
【００３９】
そして、例えば、被検者の検査、患者の診察に際し、この空気の流れＡにおける上流側に医療従事者Ｍを位置させ、下流側に被検者等Ｐを位置させることで、被検者等Ｐからの、会話や、クシャミ、咳等により発生する唾液の飛沫が医療従事者Ｍに及ぶことを抑制し、診療時における医療従事者Ｍに対する影響ないし感染を回避することが可能となる。
【００４０】
図４は、排気装置付きトレーラーハウス１に備わる排気装置５の構成を側方から見た状態で示す概略図であり、図５は、排気装置５の構成を上方から見た状態で示す概略図である。なお、本実施の形態においては排気装置５には「まもるくん」という装置製品名称が付されている。
【００４１】
排気装置５は、診療室Ｒ内に、本実施形態では、排気口１３ａが備わる後方の側壁面部１１ｂと、これに隣接する右方の側壁面部１１ｄとにより画成される診療室Ｒの隅部に固定配置される。図３に示すように、排気装置５が設けられる右側後方の隅部は、診療室Ｒの四隅の隅部のうち、出入用のドア１４に対向する隅部である。
【００４２】
排気装置５は、ファン部５１と、フィルター部５２と、ダクト部５３とを備えている。
【００４３】
ファン部５１、フィルター部５２およびダクト部５３は、外部を仕切パネル部５４により被覆され、診療室Ｒの内部に対し、仕切パネル部５４により遮蔽された状態にある。排気装置５は、仕切パネル部５４の前面に形成された通気口５ａを介して診療室Ｒ内の空気を吸入することが可能であると共に、仕切パネル部５４の側面に設けられた開閉部５ｂを介して診療室Ｒの内部からの操作が可能である。
【００４４】
ファン部５１は、診療室Ｒ内に陰圧を形成する際に連続的または断続的に作動するものであり、診療室Ｒ内の空気を吸入し、後述する排気口１３ａに向けて送り出す。本実施形態において、排気装置５の筐体の内部は、空気の流れの方向に３つの部屋に隔てられ、ファン部５１は、最も下流側の部屋に設置されている。ファン部５１は、本実施の形態にあっては、シロッコファンにより構成されている。
【００４５】
フィルター部５２は、ファン部５１の上流側に配置され、吸入された空気に含まれる埃等の異物を除去すると共に、ウィルスを捕捉する。本実施形態において、フィルター部５２は、捕捉対象の粒子径が異なる２つのフィルターを備える。１つは、ファン部５１の直近の上流側に設けられたＨＥＰＡフィルター５２１であり、ＨＥＰＡフィルター５２１により、空気中のウィルスを捕捉可能である。他の１つは、予備フィルター５２２であり、ＨＥＰＡフィルター５２１のさらに上流側に配置され、より大きな粒子径の埃等を、ＨＥＰＡフィルター５２１への流入前に除去する。
【００４６】
ダクト部５３は、側面略Ｌ字状に屈曲して配置され、ファン部５１の下流側に接続し、ファン部５１から送出された空気を側壁面部１１ｂの排気口１３ａに向けて案内するように構成されている。本実施形態において、ダクト部５３は、一部が蛇腹状に形成され、フィルター部５２のシロッコファンを鉛直上向きに出た空気を、水平方向に転向させ、排気口１３ａに送り込む。
【００４７】
このように、診療室Ｒ内の空気は、ファン部５１により排気装置５に吸入され、排気装置５の内部でフィルター部５２により埃およびウィルス等が除去され、清浄化された後、ダクト部５３を通過し、排気口１３ａを介してハウス本体１１から流出する。
【００４８】
また、図５に示すように、本実施形態において、排気装置付きトレーラーハウス１は、以上に加え、フィルター交換報知部５５を備える。
【００４９】
本実施形態では、フィルター交換報知部５５、フィルター部５２は、捕捉粒子径が小さいＨＥＰＡフィルター５２１のフィルターでのごみ等の付着物の堆積量が増加し、交換時期にあるか、または交換時期が近いことを使用者に報知するように構成されている。
フィルター交換報知部５５による報知対象は、ＨＥＰＡフィルター５２１に限らず、捕捉粒子径がより大きい予備フィルター５２２であってもよいし、具体的な報知対象の特定はせず、ＨＥＰＡフィルター５２１および予備フィルター５２２の双方を含め、フィルター部５２の全体であってもよい。
【００５０】
フィルター交換報知部５５は、ＨＥＰＡフィルター５２１の上流側の気圧ＰｕｓとＨＥＰＡフィルター５２１の下流側の気圧Ｐｄｓとを導入し、これらの気圧の差が生じた場合、即ち、ＨＥＰＡフィルター５２１の前後の差圧が所定以上の値に至った場合に作動し、フィルター部５２の交換を促すための報知を使用者に対して実行する。
【００５１】
図４には、排気装置５、特にファン部５１の操作イッチＳＷを示す。操作スイッチＳＷは、ファン部５１の起動スイッチＳＷ１のほか、ファン部５１の送風量の大小を切り替えるための切替スイッチＳＷ２を有する。フィルター交換報知部５５の表示部５５２はパイロットランプにより構成され、操作スイッチＳＷに隣接させて配置し、側壁面部１１ａ〜１１ｄの一部、例えば、後方の側壁面部１１ｂに設置することが可能である。
【００５２】
図６は、フィルター交換報知部５５の構成を簡易的に示す回路図である。
【００５３】
フィルター交換報知部５５は、センサスイッチ部５５１と、表示部５５２とを備えるほか、電源５５３および抵抗５５４を備えている。センサスイッチ部５５１は、通常時に開いた状態（ＯＦＦ状態）にあり、ＨＥＰＡフィルター５２１の上流側の気圧ＰｕｓとＨＥＰＡフィルター５２１の下流側の気圧Ｐｄｓとを導入し、ＨＥＰＡフィルター５２１の前後の差圧ΔＰが所定以上の値に至った場合に、回路を閉じ（ＯＮ状態）、表示部５５２に電源を供給する。これにより、表示部５５２が作動し、使用者に対する報知を実行する。
表示部５５は、例えば、ＬＥＤランプを備え、使用者に対する報知は、ＬＥＤランプの点灯により達成することが可能である。
【００５４】
このように、本実施形態によれば、排気装置付きトレーラーハウス１を自走する牽引車を利用することにより、適宜所望の場所へ移動させ、例えば、病院の敷地内（病棟外の敷地であり、例えば、駐車場）に設置すると共に、排気装置５を作動させて、診療室Ｒ内の空気を診療室Ｒ外へ排出することで、換気を効果的に行える診療室Ｒを設置することができる。これにより、病棟外に診療室として使用可能な空間を形成し、発熱外来等に迅速に対応することが可能となる。
【００５５】
本実施形態によれば、米国疾病管理予防センター（ＣＤＣ）ガイドラインに定められる、１時間当たり１２回以上の室内換気と、室内外の気圧差が２５Ｐａ以上である陰圧形成と、に対応することが可能である。
【００５６】
図７は、本実施形態に係る排気装置付きトレーラーハウス１において、排気装置５を実際に作動させることにより得られた、換気風量と、診療室Ｒの内と外との間の気圧差（室内外気圧差）との実験結果を示す。
【００５７】
この実装風量試験に用いられた排気装置付きトレーラーハウス１の内寸は、幅が２．２４４ｍ、長さが３．４６３ｍ、高さが２．３００ｍであり、診療室Ｒの室内容積は、１７．８７ｍ3である。
風量は、排気口１３ａに本実験に使用された計測器（カスタム風速風量計：ＷＳ-０５）を接続することにより測定し、排気装置５の電源を投入した後、動作が安定した時点での１分当たりの風量（ｍ3／ｍｉｎ］）および室内外気圧差（［Ｐａ］）を測定した。さらに、上記風量を、１時間当たりの風量（［ｍ3／Ｈ］）に換算した。測定は３回に亘って実施し、１回当たりの測定時間は３分とした。
【００５８】
ＣＤＣガイドラインによれば、最低限の要件として１時間当たり１２回の室内換気（排気装置付きトレーラーハウス１の室内容積により風量に換算した場合には２１４．４４ｍ3）と、２．５Ｐａの室内外気圧差とを必要とするものである。
これに対し、本実施の形態に係る排気装置付きトレーラーハウス１により行った実験においては、室内換気の要件としては、１時間あたり１６回以上の換気を行うこととし、３回にわたって、風量及び室内外気差について計測した。この場合、排気装置付きトレーラーハウス１の室内容積に基づく風量換算値は２８５．９２ｍ3以上となる。
実験の結果、１時間当たりの風量は平均値で５．２３ｍ3/minであって、同様に室内外気圧差の平均値は１８．６７Ｐａであることが判明した。そして、１時間換算の風量の平均値としては３１４．００ｍ3という結果が得られた。
この数値は、ＣＤＣガイドラインにおける風量２１４．４４ｍ3という基準を大きく上回るものであり、本実施形態に係る排気装置付きトレーラーハウス１により、ＣＤＣガイドラインによる防疫環境基準値を満足する結果が得られた。
【００５９】
本実施形態によれば、以下に示す効果が得られる。
ファン部５１及びダクト部５３により排出診療室Ｒ内の空気を円滑に排出して外気との間で適度な陰圧を形成し、良好な換気を行うことができる。また、フィルター部５２により、排出する空気の清浄化を達成することができる。
【００６０】
シロッコファンを採用することにより、ファン部５１にダクト部５３を接合して外部への確実な排気を行うことができる。
【００６１】
補助フィルター５２２により、埃等を除去して、埃等に起因するＨＥＰＡフィルター５２１の目詰まりを抑制すると共に、ＨＥＰＡフィルター５２１により、診療室Ｒ内の空気に含まれるウィルスの外部への放出を抑制することが可能となる。
【００６２】
フィルター交換報知部５５により、フィルター部５２が交換時期にあるかまたはフィルター部５２の交換時期が近いことを使用者による認識を促すことが可能となる。
【００６３】
ＨＥＰＡフィルター５２１の上流側の気圧ＰｕｓとＨＥＰＡフィルター５２１の下流側の気圧Ｐｄｓとの差圧に基づき、フィルター部５２の交換時期を適切に判定すると共に、表示部５５２により、フィルター部５２が交換時期にあることの使用者による認識をより確実に促すことが可能となる。
【００６４】
排気装置５を診療室Ｒの隅部に設けることで、診療室Ｒの空間容積を確保すると共に、ファン部５１、フィルター部５２およびダクト部５３を遮蔽する仕切パネル部５４に、フィルター部５２に対する操作用の開閉部５ｂを設けることで、フィルター部５２を適宜に交換可能とし、排気装置５の作動効率を維持すると共に、空気の清浄性を確保することができる。
【００６５】
さらに、ハウス本体１１の側壁面部のうち、吸気口１２ａを有する側壁面部１１ａに、室内環境調整用の空調装置１５１を設けることで、排気装置５の作動に伴って診療室Ｒ内に形成される空気の流れに乱れが生じるのを抑制しながら、診療室Ｒの快適性を確保することが可能となる。
【００６６】
ハウス本体１１の側壁面部のうち、排気装置５に対向する側壁面部１１ｃに出入用のドア１４を設けることで、診療室Ｒ内に形成される空気の流れに、ドア１４の開閉に伴う外気の流入による内部での換気気流の乱れが生じる事態を抑制することが可能となる。
【符号の説明】
【００６７】
１…排気装置付きトレーラーハウス
５…排気装置
１１…ハウス本体
１１ａ〜１１ｄ…側壁面部
１２ａ…吸気口
１３ａ…排気口
１４…ドア
５１…ファン部
５２…フィルター部
５２１…ＨＥＰＡフィルター
５２２…補助フィルター
５３…ダクト部
２１…台車部
３１…階段部
Ｒ…診療室
【図１】
0003229933.tif 000003
【図２】
0003229933.tif 000004
【図３】
0003229933.tif 000005
【図４】
0003229933.tif 000006
【図５】
0003229933.tif 000007
【図６】
0003229933.tif 000008
【図７】
0003229933.tif 000009